(57)【特許請求の範囲】
【請求項１】
座板（１６）と背板（１８）が配備された着座部（１０）を椅子脚（１２）の上に配備された横軸（１４）を中心として旋回自在に設けるが、前記着座部（１０）の下部にガイドレール（３０）を形成して着座部（１０）が前後方向に位置移動されるようにするとともに、結束手段（３２）によって着座部（１０）を位置固定できるようにし、
前記着座部（１０）の前方にユーザの足を拘束する堅着足載せ板（２０）をヒンジ（Ｈ）により連結することにより、着座部（１０）を椅子専用に活用するときに前記堅着足載せ板（２０）がユーザを妨げないように座板（１６）の底面方向に折り畳んで固定手段（Ｊ）により位置固定するが、
前記堅着足載せ板（２０）は、足載せ板（２２）と、足載せ板（２２）の上側に離れて設けられて足の甲を拘束する固定堅着部（２４）と、足載せ板（２２）の上に旋回自在に設けられて足首後部を押し付ける遊動堅着部（２６）と、遊動堅着部（２６）の押付力を作用／解放するロック部（４０）と、を備え、
前記ロック部（４０）は、足載せ板（２２）の上に配備される固定バー（４２）と、固定バー（４２）と対応する位置に設けられて一方の端がヒンジ（４４ａ）により結合され、他方の端に遊動堅着部（２６）が配備される遊動バー（４４）と、固定バー（４２）と遊動バー（４４）が挿入され、バネ（４６ａ）によってヒンジ（４４ａ）から離れる方向に弾持力が働くストップリング（４６）と、バネ（４６ａ）を押し付けてストップリング（４６）の弾持力を解放するレバー（４８）と、を備えることを特徴とする自重牽引椅子。
【発明の詳細な説明】
【技術分野】
【０００１】
本発明は自重牽引椅子に係り、さらに詳しくは、長時間に亘っての椅子の使用によって発生する腰椎間板脱出症及び脊髄側湾症をはじめとする脊髄疾患を治療及び予防するための自重牽引椅子に関する。
【背景技術】
【０００２】
近年、コンピュータを用いた業務自動化が普遍化するに伴い、肉体労働よりは精神労働に虐げられるとともに、着座勤務時間が次第に延びることに伴い、脊髄筋力が弱化したり脊髄が押されたりして腰椎間板脱出症及び脊髄側湾症をはじめとする脊髄疾患患者が急増して社会問題が益々深刻化しつつある。
【０００３】
このため、健康関連の専門家は、脊髄疾患を治療及び予防するために規則的に適量の運動をすることを推奨しているが、繁多な業務に虐げられるうちに運動時間の不足現象が発生するため、室内において簡単に脊髄筋肉の強化及び弛緩運動を行うための脊髄ストレッチング器具の普及が至急望まれているのが現状である。
【０００４】
そこで、大韓民国特許公開第１０−２０１０−０１１５０３５号公報に開示されている従来の脊髄ストレッチング器具について述べると、ベッドに、一般運動器具である逆さぶら下がり健康器の機能を付加して、必要に応じて足を固定し、マットが任意の高さに上下回転しながらぶら下がって自重牽引効果、すなわち、首と腰、骨盤、脚につながる筋肉の弛緩と緊張を繰り返し行って筋力を強化させ、頸椎と腰椎間板脱出症、脚関節を伸ばし、且つ、強くして根本的な椎間板脱出症治療及び予防効果と健康増進を図っている。
【０００５】
また、大韓民国実用新案登録第２０−０４１０９５３号を参照すれば、把持ロールの間に足が挿入された状態で脚は上部に上がり、頭は床面を向くようにして体を逆さまにすることが行われ、血流逆行循環が行われることにより血液を逆さまに循環させる運動効果が得られ、脊髄、頸椎に沿った蛇状の反復回動運動により腰関節と筋肉の疲労度を低減させ、拡張と弛緩により緊張された筋肉と関節をほぐしている。
【０００６】
しかしながら、前記従来の技術は、日常の活動中に脊髄が押されて発生する身体的な疾患を防ぐためのものであるが、有り触れたものではないという欠点によりユーザが限定されているのが現状である。
【０００７】
すなわち、構造が複雑であり、しかも、使い勝手が悪くて大型サイズに製作されるため設置空間の確保に難点があり、その結果、家庭やフィットネスセンターなどのように配置可能な空間が限定されるため、脊髄ストレッチングを最も必要とする着座勤務者が利用するには時間や場所に多くの制約があった。
【発明の概要】
【発明が解決しようとする課題】
【０００８】
本発明は上記の問題点を解消するために案出されたものであり、現実的に脊髄ストレッチングを最も必要とする着座勤務者が時間や場所に制約を受けることなく勤務中にも簡単に脊髄ストレッチングを行うようにして、長時間に亘っての椅子の使用による腰椎間板脱出症及び脊髄側湾症をはじめとする脊髄疾患を治療及び予防することができる自重牽引椅子を提供することを目的としている。
【課題を解決するための手段】
【０００９】
上記の目的を達成するために、本発明は、椅子脚１２の上に設けられる横軸１４を中心として旋回自在に設けられ、座板１６と背板１８が配備される着座部１０と、前記着座部１０の前方に設けられ、ユーザの足を拘束するように配備される堅着足載せ板２０と、を備えることを特徴とする。
【００１０】
このとき、前記着座部１０は、前後方向に位置移動されるように下部にガイドレール３０が配備され、弾性片、ボルト、ピンなどの結束手段３２によって位置固定されるように形成されることを特徴とする。
【００１１】
また、前記堅着足載せ板２０は、足載せ板２２と、足載せ板２２の上側に離れて設けられて足の甲を拘束する固定堅着部２４と、足載せ板２２の上に旋回自在に設けられて足首の後部を押し付ける遊動堅着部２６と、遊動堅着部２６の押付力を作用／解放するロック部４０と、を備えることを特徴とする。
【００１２】
さらに、前記ロック部４０は、足載せ板２２の上に配備される固定バー４２と、固定バー４２と対応する位置に設けられて一方の端がヒンジ４４ａにより結合され、他方の端に遊動堅着部２６が配備される遊動バー４４と、固定バー４２と遊動バー４４が挿入され、バネ４６ａによってヒンジ４４ａから離れる方向に弾持力が働くストップリング４６と、バネ４６ａを押し付けてストップリング４６の弾持力を解放するレバー４８と、を備えることを特徴とする。
【００１３】
さらに、前記堅着足載せ板２０は、着座部１０の上にヒンジにより結合されて折り畳み自在に配備されることを特徴とする。
【発明の効果】
【００１４】
本発明は、ユーザの体重によって椅子の着座部が横軸を中心として後方に旋回されて簡単に自重牽引姿勢を取ることにより、現実的に脊髄ストレッチングを最も必要とする着座勤務者が時間や場所に制約を受けることなく勤務中にも簡単に脊髄ストレッチングを行うようにして、長時間に亘っての椅子の使用による腰椎間板脱出症及び脊髄側湾症をはじめとする脊髄疾患を治療及び予防することができるという効果がある。
【図面の簡単な説明】
【００１５】
【図１】図１は、本発明に係る自重牽引椅子を全体的に示す構成図である。
【図２】図２は、本発明に係る自重牽引椅子の着座部の位置移動構造を示す構成図である。
【図３】図３は、本発明に係る堅着足載せ板の作動状態を示す構成図である。
【図４】図４は、本発明に係る堅着足載せ板の折り畳み構造を示す構成図である。
【発明を実施するための形態】
【００１６】
以下、添付図面に基づき、本発明の好適な実施形態について詳述する。
【００１７】
本発明は、自重牽引椅子に関するものであり、このとき、自重牽引椅子は、脊髄ストレッチングを最も必要とする着座勤務者が時間や場所に制約を受けることなく簡単に脊髄ストレッチングを行うようにして、長時間に亘っての椅子の使用による腰椎間板脱出症及び脊髄側湾症をはじめとする脊髄疾患を治療及び予防するために着座部１０と、堅着足載せ板２０と、を備えることを特徴とする。
【００１８】
本発明に係る着座部１０は、椅子脚１２の上に設けられる横軸１４を中心として旋回自在に設けられ、座板１６と背板１８を備える。着座部１０は、座板１６と背板１８が椅子脚１２によって支持される通常の椅子状に形成され、このとき、椅子脚１２は、少なくとも３以上の脚によって支持される固定型または脚下部にキャスタが配備される移動型に形成される。
【００１９】
そして、着座部１０は、椅子脚１２の上端に配備される横軸１４と連結され、横軸１４を中心として後方に旋回されてユーザが着座した状態で自重牽引姿勢を取ることになるが、このとき、着座部１０が横軸１４を中心として旋回される間にユーザの重心が椅子脚１２の中心から外れて倒れがちになることを防ぐために、横軸１４が椅子脚１２の中心または中心の近くに位置することが好ましい。
【００２０】
一方、前記着座部１０は、ユーザが日常で椅子用に用いるときに横軸１４を中心として旋回されることが防がれるように、着座部１０の底面に座板１６と椅子脚１２を結束／解放するストップレバー（図示せず）が配備されることが好ましい。
【００２１】
このとき、前記着座部１０は、前後方向に位置移動するように下部にガイドレール３０が配備され、弾性片、ボルト、ピンなどの結束手段３２によって位置固定されるように形成される。ガイドレール３０は、着座部１０と横軸１４との間に設けられて滑り運動によって着座部１０を前後方向に位置移動させるように連結し、所定の位置に結束手段３２によって位置固定される。結束手段３２としては、弾性片、ボルトまたはピンが採用されるが、図２においては、弾性片３２がバネの弾持力によって座板１６の底面と噛み合って位置固定されるように配備され、このとき、弾性片３２は一方の端に延びるレバーの旋回操作によってロック／解放される。
【００２２】
そこで、ガイドレール３０による着座部１０の前後への位置移動によりユーザの体重中心と横軸１４との間の距離が調節されるが、図２に示すように、着座部１０が横軸１４近くの位置Ｌ１にあるときにユーザの体重中心が後方に働いて大きな力を入れることなく自重牽引姿勢を取り易く、これとは逆に、着座部１０が前方に突き出て横軸１４との離間距離が拡大Ｌ２されるにつれてユーザの体重中心が前方に働き、これに伴い、ユーザが腹筋に力を入れてバランスを取って上体を後方に傾けて自重牽引姿勢を取る必要があるため、均衡感覚を身に付け、腹筋をはじめとする周りの筋肉のストレッチング運動が同時に行われる。
【００２３】
のみならず、着座部１０を前方に位置移動させるときに自重牽引姿勢を取る間に頭部分と地面とが離間されるため、着座部１０の傾きを拡大させることができる。
【００２４】
また、本発明に係る堅着足載せ板２０は、座板１６の前方に設けられ、ユーザの足を拘束するように配備される。堅着足載せ板２０は、ユーザが着座部１０の上に座った状態で自重牽引姿勢を取るときに、下体が滑下しないように足首部を拘束する役割を果たし、日常で椅子専用に活用するときにユーザを妨げないように着座部１０の上にヒンジＨにより連結されて、図４に示すように、座板１６の底面方向に折り畳まれるように配備される。このとき、堅着足載せ板２０は、折り畳んだ状態で位置固定されるように掛止輪付き固定手段Ｊによって結束される。
【００２５】
また、前記堅着足載せ板２０は、足載せ板２２と、足載せ板２２の上側に離れて設けられて足の甲を拘束する固定堅着部２４と、足載せ板２２の上に旋回されるように設けられて足首の後部を押し付ける遊動堅着部２６と、遊動堅着部２６の押付力を作用／解放するロック部４０と、を備える。
【００２６】
ここで、固定堅着部２４と遊動堅着部２６は円弧状または棒状（図３の拡大図には、遊動堅着部２６は足首の後部を囲むように押し付けるように円弧状板状に形成されている状態を示す）に形成され、外周面にユーザの足が密着された状態で滑りが防がれるようにゴム板付き滑り防止パッドまたは足の形状に倣って緊密に堅着されて接地面積が拡張されるようにスポンジ付きクッション部材が設けられる。
【００２７】
そして、ユーザの足が足載せ板２２と固定堅着部２４との間に収容された状態で遊動堅着部２６が足首の後部を拘束するが、このとき、遊動堅着部２６は、ロック部４０によって足首後部を押し付けた状態で位置固定される。
【００２８】
ここで、前記ロック部４０は、足載せ板２２の上に配備される固定バー４２と、固定バー４２と対応する位置に設けられて一方の端がヒンジ４４ａにより結合され、他方の端に遊動堅着部２６が配備される遊動バー４４と、固定バー４２と遊動バー４４が挿入され、バネ４６ａによってヒンジ４４ａから離れる方向に弾持力が働くストップリング４６と、バネ４６ａを押し付けてストップリング４６の弾持力を解放するレバー４８と、を備える。
【００２９】
このとき、固定バー４２と遊動バー４４は、向かい合うように重ね合わせられた状態で下端部がヒンジにより結合される。このため、図３に示すように、ストップリング４６がバネ４６ａの弾持力によってヒンジ４４ａから離れる方向に搬送されると、固定バー４２と遊動バー４６との間の間隔が狭まりながら遊動堅着部２６が足首後部を押し付け、レバー４８の操作によってバネ４６ａが圧縮されると、ストップリング４６がヒンジ４４ａの近くの位置に移動して遊動バー４６の旋回区間が拡張されながら足を拘束する堅着力が解放される。
【００３０】
一方、レバー４８は、バネ４６ａの上に一体に連結されるか、あるいは、図３に示すように、レバー４８の一方の端部が足載せ板２２の上にヒンジにより結合され、ヒンジを軸として旋回するときにレバー４８のある区間がバネ４６ａを押し付けて圧縮することになる。
【００３１】
このように、ストップリング４６の嵌合結束力によって固定バー４２と遊動バー４４との間の間隔が狭まりながら遊動堅着部２６が足首の後部を拘束する堅着構造を有し、これにより、使用中にバネ２６ａの弾性力によってストップリング４６の嵌合結束力が持続的に働くことにより、ユーザが自重牽引姿勢を取る間に遊動堅着部２６の堅着力が任意に解放される誤作動が防がれ、これにより、足が遊動するときに遊動距離に対応する距離だけ遊動堅着部２６の堅着位置が補正されて堅着力が強固に維持される。
【００３２】
作動に当たって、ユーザが着座部１０に座った状態で足を堅着足載せ板２０に堅着し、上体を背板１８に密着して体重中心を横軸１４の後方に移動させると、着座部１０が堅着足載せ板２０とともに横軸１４を中心として旋回しながら簡単に自重牽引姿勢を取ることになる。
【００３３】
このとき、ユーザが大きな力を入れることなく安定した自重牽引姿勢を自然に取るためには、着座部１０の旋回角度を３０〜８０°に制限することが好ましく、着座部の旋回角度を３０〜８０°に制限するためには、座板１６を基準として背板１８の角度を１００〜１７０°に設定することが好ましい。
【００３４】
このように、椅子に着座して業務を行う間にユーザの体重中心を移動して簡単に自重牽引姿勢を取ることにより、現実的に脊髄ストレッチングを最も必要とする着座勤務者が時間や場所に制約を受けることなく勤務中にも速やかに且つ簡単に脊髄筋肉弛緩及び筋力強化運動を行うことができるというメリットがある。
【００３５】
一方、自重牽引姿勢を取る間にユーザが着座部１０の外側に落下するような安全事故を未然に予防するために、着座部１０の両端にガイド棒及び把持部をさらに備えることが好ましい。
【符号の説明】
【００３６】
１０：着座部
１２：椅子脚
１４：横軸
１６：座板
１８：背板
２０：堅着足載せ板
２２：足載せ板
２４：固定堅着部
２６：遊動堅着部
３０：ガイドレール
３２：結束手段
４０：ロック部
４２：固定バー
４４：遊動バー
４４ａ：ヒンジ
４６：ストップリング
４６ａ：バネ
４８：レバー  
【図１】
0005777018.tif 000002
【図２】
0005777018.tif 000003
【図３】
0005777018.tif 000004
【図４】
0005777018.tif 000005